【事件の表示】
　特許第３００３６７７号「パチンコ機」の請求項１に係る特許に対する特許異議の申立てについて、次のとおり決定する。
【結　論】
　特許第３００３６７７号の請求項１に係る特許を維持する。
【理　由】
一、手続の経緯・本件発明
　本件特許第３００３６７７号に係る発明は、平成３年２月１８日に特許出願された特願平３−４６０９０号に包含された発明の一部を平成１０年７月１３日に分割出願した特願平１０−２１３５１６号に係り、平成１１年１１月１９日に設定登録されたものであり、本件の特許請求の範囲に記載の請求項１に係る発明（以下、「本件発明」という。）は、特許明細書の特許請求の範囲の請求項１に記載された次の事項により特定されるとおりのものである。
　「【請求項１】大当り遊技状態となったときに、内部に継続入賞口と非継続入賞口とが設けられた変動入賞装置を所定の態様で開放し、その開放中に前記継続入賞口に入賞玉が入賞したことに基づいて変動入賞装置の次回の開放が留保される継続権を成立させるパチンコ機において、前記変動入賞装置には、前記継続入賞口への入賞玉の入賞を阻止する第１の状態と阻止しない第２の状態とに変化する閉塞部材を設ける一方、前記非継続入賞口を常時開放させておき、該閉塞部材を、前記変動入賞装置の開放後の継続入賞口への最初の入賞玉の入賞に基づいて前記第１の状態に駆動し、前記変動入賞装置の開放終了後に前記第２の状態に駆動する電気的駆動手段を制御する制御手段を設けたことを特徴とするパチンコ機。」
　
二、特許異議申立てについて
１．特許異議申立ての理由の概要
　特許異議申立人鈴木暁子（以下、「申立人」という。）は下記の証拠方法を提示して、本件発明についての特許は取り消されるべきであるとして、次のように申し立てている。
［理由１］：本件発明は、甲第２号証ないし甲第４号証に開示された周知技術を加味すれば甲第１号証に記載された発明と実質同一であるから、本件特許は特許法第２９条の２第１項の規定に違反してなされたものである。
［理由２］：本件発明は、甲第２号証及び甲第３号証に記載された発明並びに周知技術に基いて当業者が容易に発明をすることができたものであるから、本件特許は特許法第２９条第２項の規定に違反してなされたものである。
　　　　　　　　　　　　　　　　　記
［甲第１号証］：特願平２−４１５３７３号（特開平４−２４２６７９号公報参照）の願書に最初に添付した明細書又は図面
［甲第２号証］：特開昭６３−２４９５９３公報
［甲第３号証］：特開平１−１３９０８５号公報
［甲第４号証］：特開昭６１−２７２０７４号公報
［甲第５号証］：特開昭６１−２５９６８５号公報
［甲第６号証］：特開昭６１−２６８２７７号公報
［甲第７号証］：特開昭６４−２２２７０号公報
［甲第８号証］：特開昭６３−２１４２７２号公報
　
２．甲号各証に記載の発明
［甲第１号証］には、パチンコ機の入賞装置に関し、次の事項が記載されている。
　「【０００３】一般に、この種の入賞装置においては、入賞装置の両側に配設された揺動式の可動翼片や入賞装置の前面に配設されたアタッカ状の可動翼片を特定条件の成立に伴って所定時間開放し、また、この間に大入賞口に落入したパチンコ球のうち大入賞口内部の特定入賞口に入賞したパチンコ球の数を計数することにより、特定入賞口に入賞したパチンコ球の数に応じて一定の範囲内で可動翼片を連続開放するなどして遊技態様を変化させるようになっていた。」（２頁１欄１９行〜２７行）
　「【００１６】図２は入賞装置５を遊技盤２から取外して外観を示す斜視図であり、該入賞装置５には、可動翼片３によって開閉される大入賞口４および左，右第１種始動口７ａ，７ｂと普通図柄表示ＬＥＤ群ＮＬ，ＮＲ、更に、記憶数表示ＬＥＤ（Ａ）が一体的に装着され、入賞装置５における大入賞口４の内部には、該入賞口４の長手方向に離間して形設された内部の隔壁１１，１２によって３つの入賞口１３，１４，１５が分割して形成されると共に、中央に位置する特定入賞口１３には、いわゆる役物連続作動装置を構成する特定領域入賞検出スイッチＳＷ４が配設されている。符号５０は第１種始動口７ａ，７ｂに入賞した打球を遊技盤２側に回収する球誘導樋である。」（３頁３欄１１行〜２３行）
　「【００２５】可動翼片３の開放中に大入賞口４の普通入賞口１４，１５へ入賞したパチンコ球４１は、フロントパネル１７とリアプレート１６との間に固設された球誘導壁４０に沿って転動し、大入賞口入賞検出スイッチＳＷ３を作動させた後パチンコ機本体側に回収される。
【００２６】また、可動翼片３が開放されてから特定入賞口１３の入り口に向けて落入する第１個目のパチンコ球４２は、特定入賞口１３の入り口で開閉弁２８の逆円弧状の球受け部３４に迎合され、パチンコ球４２を迎合した開閉弁２８が、球受け部３４に摺接しつつ落下するパチンコ球４２から受ける荷重を検出し、ウエイト３５によって与えられる時計方向への回転付勢力に抗して反時計方向に回転する。そして、パチンコ球４２が開閉弁２８の球受け部３４から完全に離反して荷重が除かれることによりパチンコ球４２の通過が検出された段階で、開閉弁２８は図８に示されるように略直角反時計方向に回転した閉鎖位置にまで回転移動し、略円弧状の賞球振分け部３３を隔壁１１，１２間の特定入賞口１３内に突出させ、落下するパチンコ球４２は更に特定領域入賞検出スイッチＳＷ４と大入賞口検出スイッチＳＷ３を作動させる。
【００２７】開閉弁２８の回転によって賞球振分け部３３が特定入賞口１３内に完全に潜入すると、板状カム２９の外側２９ａが揺動レバー３６の係合突起３６ｂから離反し、揺動レバー３６がウエイト３８からの回転付勢力によって反時計方向に回転し、揺動レバー３６の係合突起３６ｂが板状カム２９の賞球振分け部側端面２９ｂと図７に示すように係合して、ウエイト３５の付勢力による開閉弁２８の元位置復帰回転を阻止する。賞球振分け部３３が特定入賞口１３内に完全に潜入した状態では、開閉弁２８の球受け部側端部２９ｃと貫通口２７の下縁との間隙は微小であり、開閉弁２８は元位置復帰回転と共に図８の反時計方向への回転をも阻止され、実質上、開閉弁２８が完全に固定される。
【００２８】従って、特定入賞口１３への入賞が１回発生してから特定入賞口１３の入り口に向けて落下するパチンコ球の全ては、開閉弁２８の賞球振分け部３３と衝突したのち左右に振り分けられて普通入賞口１４または１５へ入賞することとなり、大入賞口４の一開放動作中に特定入賞口１３へ入賞するパチンコ球の数は１個に制限される。
【００２９】そして、大入賞口開放ソレノイドＳＯＬ２の励磁が解除されてアクチュエータ部材１９が下死点位置に復帰すると、可動翼片３が閉じて大入賞口４が閉鎖される一方、下死点位置に移動する梁状部材３９の摺接突起３９ａが揺動レバー３６の摺接突起３６を押圧して該レバー３６を図７の反時計方向に回転させ、係合突起３６ｂと板状カム２９の賞球振分け部側端面２９ｂとの係合を解除し、開閉弁２８がウエイト３６の回転付勢力によって時計方向に回転され、図４に示されるような元位置に復帰し、大入賞口４の次回の開放動作中における特定入賞口１３への入賞を１球のみ可能な状態とする。」（４頁５欄１８行〜４頁６欄１９行）
　
［甲第２号証］には、パチンコ遊技機に関し、次の事項が記載されている。
　「第１図は本発明の１実施例であるパチンコ遊技機の遊技盤の正面図である。第１図において、１はパチンコ遊技機の開閉自在な前面枠に着脱自在に装着される遊技盤である。遊技盤１には、可動羽根を有する大入賞口２、大入賞口２の開閉動作を継続する権利の発生回数を表示するラウンド表示器３、第２種始動口４ａ・４ｂ・４ｃ、所謂チューリップ入賞口６ａ・６ｂ及びアウト球を回収するアウト口７等が配置されている。また、図示しないがパチンコ遊技機の前面枠には、打球ハンドル、供給皿及び後述する指示スイッチ等が配置されている。」（３頁左上欄２０行〜右上欄１１行）
　「第２図は大入賞口が開状態となっているときの拡大斜視図である。第２図において、１１ａ・１１ｂは可動羽根であり第１ソレノイド１２により駆動され、約９０度回動することにより大入賞口２の開状態と閉状態とを形成する。１３は大入賞口２の開閉動作を継続する権利が発生するＶ入賞口であり、１４ａ・１４ｂは通常の入賞口、１５はＶ入賞口１３の開口部を開状態または閉状態とする後述する開閉蓋の出入口である。第３図は本発明の１実施例であるパチンコ遊技機に設けられた開閉蓋の駆動部の概略斜視図である。第３図において、１３ａ・１３ｂはＶ入賞口１３の仕切板であり、２１は曲臂片、２２は第２ソレノイドである。第２ソレノイド２２が非励磁のときは、図示しないコイルバネにより第２ソレノイド２２のロッド２２ａが引き出された状態となっており、したがって開閉蓋２０は遊技盤１内に収納された状態となり、Ｖ入賞口１３の開口部は開状態となっている。しかし、第２ソレノイド２２が励磁されると、ロッド２２ａがコイルバネの付勢にさからって第２ソレノイド２２内に吸引され、したがって、開閉蓋２０は出入口１５から押し出されてＶ入賞口１３の開口部を閉状態とする。」（３頁左下欄２行〜右下欄５行）
　「また、開閉蓋制御回路５２は大入賞口２の連続開閉動作を行う権利が発生したことを検知するＶ検知器Ｓ４からの信号を受けると、第２駆動部５３を介して第２ソレノイド２２を励磁し、遊技球がＶ入賞口１３に入賞できないように出入口１５から開閉蓋２０を押し出してＶ入賞口１３を閉状態とする。第３判断部５８は第１計数部５４からの信号を受け、可動羽根１１ａ・１１ｂの連続回動動作、すなわち大入賞口２の連続開閉動作の回数が予め定めた一定の数、たとえば１２回になったときにゲートＧ２に信号を発する。また、第４判断部５９は第２計数部５６からの信号を受け、大入賞口２への遊技球の入賞数が予め定めた一定の数、たとえば６個になったときにゲートＧ２に信号を発する。更に、指示スイッチＳは遊技者がスイッチを操作したときにゲートＧ２に信号を発する。ゲートＧ２は論理和ゲートであるから、第３判断部５８、第４判断部５９、又は指示スイッチＳが発する信号の中の１つが送られてくると、出力信号を開閉蓋制御回路５２に発する。開閉蓋制御回路５２はゲートＧ２からの信号を受けると、第２駆動部５３を介して第２ソレノイド２２を非励磁とし、開閉蓋２０は遊技盤１の内部に引っ込んだ状態となり、Ｖ入賞口１３の開口部は開状態となる。すなわち、開閉蓋制御回路５２は大入賞口２の連続動作を継続する権利が発生すると、開閉蓋２０を押し出してＶ入賞口１３を閉状態とし、遊技者がパチンコ遊技機の前面に配置した図示しない指示スイッチＳを操作したとき、大入賞口２の開閉動作が１２回になったとき、又は大入賞口２への遊技球の入賞球が６個になったときに開閉蓋２０を引っ込めて、Ｖ入賞口１３を開状態とする。」（４頁右下欄５行〜５頁左上欄１７行）
　「以上、第２種始動口付パチンコ遊技機について説明したが、本発明はこれに限定されるものではなく、第１種始動口付パチンコ遊技機等、入賞後に遊技球を一定の確率で振り分ける必要のある他のパチンコ機にも用いることができる。」（６頁左下欄１３行〜１７行）
　
［甲第３号証］には、パチンコ遊技機に関し、次の事項が記載されている。
　「上記のような構成されたパチンコ遊技機はそれに設置されたコンピュータシステムに等の制御装置（図示省略）によって次のように制御される。図外の電源スイッチ操作によりパチンコ遊技機１に電気が供給されると、変動入賞装置５に設置された８個の継続回数表示ランプ２１は点滅し、入賞個数表示器２０の数字表示は「０」を示す。また、変動入賞装置５の左右の可動部材５３、５３は、垂直上向き状態にあって、変動入賞装置５の入賞空間５２中に打球を受け入れない第１状態を維持している。また、装飾部材５５の両腕部５５ａ、５５ａが相互に開閉する運動を行う。また、変動入賞装置５の入賞空間５２中に設置された一般入賞口５７、５７を構成する左右の変動部材５７ａ、５７ａは、それらを移動させるソレノイド６０、６０が励磁されることによって移動されて相互に離れ、左右に突出した状態となる。このときには、特別入賞案内流路５６の下側開口部（出口）は開放状態となっている。また、このときには、左側の変動部材５７ａと打球誘導部１７との間隙は狭くその中に打球が流入し得ない状態にあり、そのため、打球誘導部１７、１８が防壁となって変動入賞装置５の左方を流下する打球は２回開き用特定入賞口１１中に入賞しにくくなっている。」（５頁左下欄１９行〜６頁左上欄４行）
　「一方、Ｂモードの特別遊技態様とは、通常の遊技時に比べて多くの賞品球獲得のチャンスを遊技者に与える特別な利益状態で前記Ａモードの特別遊技態様とは異なる利益状態をいい、この実施例では、可動部材５３，５３の１８回の開閉動作を１サイクル（ただし、１８回の開閉動作の終了前に入賞口５７中に１０個の打球が入賞したときには、その時点までを１サイクル）とし、各サイクルにおいて、特別入賞口Ｂ中に打球が入賞することを同じモードの継続条件として、例えば最高１０サイクルまでその動作が行われるという点ではＡモードと同様であるが、各サイクル途中で打球の特別入賞口Ｂ中への入賞が行われると、それが記憶されていて、そのサイクルが完了した後、次のサイクルが開始されるという点で異なるものである。これは、上記Ａモードの特別遊技態様の場合に比べ、遊技者に賞球獲得のチャンスが増える。」（６頁右下欄１行〜１８行）
　「特に、上記Ｂモードの特別遊技態様のサイクルが実行されているときには、そのサイクル中、変動入賞装置５内の一般入賞口５７，５７を構成する変動部材５７ａ、５７ａを移動させるソレノイド６０，６０が消磁されることにより、第１図に鎖線で示すように、相互に近接した状態に移動復帰されて、特別入賞案内流路５６の下端開口部を閉じるとともに、一般入賞口５７，５７の開口幅Ｌ１（第５図）が狭くなった状態になっている。このような状態になっているため、Ｂモードの特別遊技態様のサイクルが実行されているときには、一般入賞口５７，５７が狭くなる分、特別入賞案内流路５６中への打球の流入確率が高くなる。そして、特別入賞案内流路５６中に流入した打球は変動部材５７ａ、５７ａによって流下を阻止され、特別入賞案内流路５６中に貯留された状態となる。そして、Ｂモードの特別遊技態様のサイクルの終了時にソレノイド６０，６０が励磁されて変動部材５７ａ、５７ａが第１図に実線で示す如く相互に離れる方向に移動することによって、特別入賞案内流路５６の下端開口部が開放される。」（７頁左上欄１３行〜右上欄１４行）
　
［甲第４号証］には、特別入賞領域６１への打球の入賞によってソレノイド駆動回路ＤＲ４によりソレノイドＳＯＬ４が励磁されて特別遊技が開始されると、特別入賞領域６１内の入賞規制手段７０ａが動作され、規制プレート７２ａによって入口が閉塞されて特別入賞領域６１への入賞が禁止されるとともに、一般入賞領域６２内の入賞規制手段７０ｂ、７０ｃのソレノイドＳＯＬ３は入賞口をふさがないようになっていて、特別遊技が開始されてから変動入賞装置５内への入賞した打球が９個に達すると、ソレノイド駆動回路ＤＲ４によるソレノイドＳＯＬ４の励磁が停止され代わりにソレノイドＳＯＬ３が駆動回路ＤＲ３によって励磁されることにより、特別入賞領域６１内の入賞規制手段７０ａは解除され、一般入賞領域６２内の入賞規制手段７０ｂ、７０ｃが動作されて、一般入賞領域６２の入口が塞がれて特別入賞領域６１の入口が開かれることになり、１０個目の入賞球は必ず特別入賞領域６１内へ入賞するように強制されて、可動部材５２ａ〜５４ｂの１８回の開閉動作中に１０個の入賞球があれば特別遊技状態の継続条件が必ず成立し次のサイクルへ移行するパチンコ遊技機、が記載されている。
　
［甲第５号証］には、可変表示装置４における４つの可変表示動作の停止結果によって特定の態様が生じることにより、特別変動入賞装置５が閉状態から開状態に変換されて、入賞確率の非常に高い広幅の特別変動入賞口８０を一時的に開設し、該特別変動入賞口８０が開状態のときに、賞品球の他に特別変動入賞口８０が再度開設される権利も与える継続入賞口８１と所定数の賞品球をもたらすだけの普通入賞口８２とが内部に設定された特別変動入賞口８０の前記継続入賞口８１に打球が入賞すると、特別変動入賞装置５一旦閉状態に戻ったあとに再び開状態に設定されるパチンコ遊技機、が記載されている。
　
［甲第６号証］には、甲第５号証と同様に、可変表示装置４における４つの可変表示動作の停止結果によって特定の態様が生じることにより、特別変動入賞装置５が閉状態から開状態に変換されて、入賞確率の非常に高い広幅の特別変動入賞口８０を一時的に開設し、該特別変動入賞口８０が開状態のときに、賞品球の他に特別変動入賞口８０が再度開設される権利も与える継続入賞口８１と所定数の賞品球をもたらすだけの普通入賞口８２とが内部に設定された特別変動入賞口８０の前記継続入賞口８１に打球が入賞すると、特別変動入賞装置５一旦閉状態に戻ったあとに再び開状態に設定されるパチンコ遊技機、が記載されている。
　
［甲第７号証］には、可変表示装置１２の複数の回転ドラム１１に描かれた表示が予め定められた表示態様、例えば「７」が３つ揃った特定遊技状態になったときに、内部に繰り返し条件入賞領域２０と通常の入賞領域２４とが設けられた可変入賞球装置１３の開閉扉１４を予め定められた期間だけ遊技者にとって有利な第１状態となるように開放し、開閉扉１４が開放中に可変入賞球装置１３の繰り返し条件入賞領域２０にパチンコ玉が飛入したときには、再度所定期間だけ開閉扉１４の開放状態を繰り返し、そのような繰り返しを最大１０回行うように制御される弾球遊技機、が記載されている。
　
［甲第８号証］には、可変表示器１０における数字変換表示の停止結果によって予め設定された賞態様、例えば「７」が３つ揃った特別遊技になったときに、内部に特別入賞領域１３と一般入賞領域１４とが設けられた変動入賞装置４の左右位置にある可動部材７、７が傾動して一般入賞領域１４の有効幅を拡大し、鎧部材１５が後退して特別入賞領域１３の上方を開放する第２状態に変換し、約２秒後に可動部材７、７が一般入賞領域１４の有効幅を狭め、鎧部材１５が特別入賞領域１３の上方を覆う第１状態に復帰し、さらに約１秒後に可動部材７、７と鎧部材１５とが再度第２状態に変換する動作を１３回繰り返し、運良く球が特別入賞領域１３に入ると、上記１３回の動作が終了後、又は特別入賞領域１３と一般入賞領域１４とに１０個の球が入賞した後に、次のサイクルに移行するようになっているパチンコ機、が記載されている。
　
３．当審の判断
ａ．［理由１（特許法第２９条の２第１項違反）］について
（１）甲第１号証に記載の発明の内容
　本件特許出願の日前に出願された特願平２−４１５３７３号（特開平４−２４２６７９号公報参照）の願書に最初に添付した明細書又は図面（以下、「先願当初明細書等」という。）には、パチンコ機に関し、前記二、の欄の「２．甲号各証に記載の発明」の［甲第１号証］の項に摘記したとおりの事項が記載されている。
　
（２）対比・判断
　ここで、本件発明と先願当初明細書等に記載の発明（以下、「先願発明」という。）とを比較・対比すると、先願発明の「特定条件の成立」「特定入賞口１３」「普通入賞口１４、１５」「入賞装置５の可動翼片３を開放」のそれぞれが、本件発明の「大当り遊技状態」「継続入賞口」「非継続入賞口」「変動入賞装置を所定の態様で開放」に相当することは、明らかである。
　そして、先願発明の前記【００２５】【００２６】【００２７】【００２８】【００２９】の記載を勘案すると、先願当初明細書等には、「大当り遊技状態となったときに、内部に継続入賞口と非継続入賞口とが設けられた変動入賞装置を所定の態様で開放し、その開放中に前記継続入賞口に入賞玉が入賞したことに基づいて変動入賞装置の次回の開放が留保される継続権を成立させるパチンコ機において、前記変動入賞装置には、前記継続入賞口への入賞玉の入賞を阻止する第１の状態と阻止しない第２の状態とに変化する閉塞部材を設ける一方、前記非継続入賞口を常時開放させておき、該閉塞部材を、前記変動入賞装置の開放後の継続入賞口への最初の入賞玉の入賞に基づいて前記第１の状態に駆動し、前記変動入賞装置の開放終了後に前記第２の状態になるように駆動する、パチンコ球４２の荷重、ウエイト３５及びウエイト３８の荷重を利用した閉塞部材の係合機構、並びに大入賞口開放ソレノイドＳＯＬ２からなる閉塞部材の係合解除機構を設けたパチンコ機」の発明が記載されている、ということができるから、両者は「大当り遊技状態となったときに、内部に継続入賞口と非継続入賞口とが設けられた変動入賞装置を所定の態様で開放し、その開放中に前記継続入賞口に入賞玉が入賞したことに基づいて変動入賞装置の次回の開放が留保される継続権を成立させるパチンコ機において、前記変動入賞装置には、前記継続入賞口への入賞玉の入賞を阻止する第１の状態と阻止しない第２の状態とに変化する閉塞部材を設ける一方、前記非継続入賞口を常時開放させておき、該閉塞部材を、前記変動入賞装置の開放後の継続入賞口への最初の入賞玉の入賞に基づいて前記第１の状態に駆動し、前記変動入賞装置の開放終了後に前記第２の状態に駆動する手段を設けたパチンコ機」である点で一致し、次の点で相違する。
［相違点］：本件発明が「該閉塞部材を駆動する電気的駆動手段を制御する制御手段を設けた」ものであるのに対し、先願発明は、パチンコ球４２の荷重、ウエイト３５及びウエイト３８の荷重を利用する開閉弁２８の係合機構、並びに大入賞口開放ソレノイドＳＯＬ２による係合解除機構を設けたものである点で相違し、先願当初明細書等には、本件発明の「該閉塞部材を駆動する電気的駆動手段を制御する制御手段を設けた」構成について記載されてない。
　ここで、甲第２号証ないし甲第４号証の記載事項を検討すると、該甲第２号証ないし甲第４号証には、それぞれ閉塞部材を駆動する電気的駆動手段について記載されている。
　しかしながら、前記のとおり閉塞部材を駆動する電気的駆動手段が本件発明の出願前の周知技術であるとしても、甲第１号証に記載の発明の「パチンコ球４２の荷重、ウエイト３５及びウエイト３８の荷重を利用する開閉弁２８の係合機構、並びに大入賞口開放ソレノイドＳＯＬ２による係合解除機構」なる閉塞部材の駆動手段を、上記周知技術である「閉塞部材を駆動する電気的駆動手段」に変換することが、本件発明の出願当時の技術水準において自明のことということができない。
　したがって、甲第２号証ないし甲第４号証の記載事項を考慮してみても、本件発明の構成が先願当初明細書等に記載されているということができないから、本件発明は上記先願当初明細書等に記載された発明と同一である、ということはできない。
　
ｂ．［理由２（特許法第２９条第２項違反）］について
（１）甲第２号証に記載の発明
　前記二、の欄の「２．甲号各証に記載の発明」の項の［甲第２号証］の記載事項によれば、該甲第２号証には、本件発明の前提である「大当り遊技状態となったときに、内部に継続入賞口と非継続入賞口とが設けられた変動入賞装置を所定の態様で開放し、その開放中に前記継続入賞口に入賞玉が入賞したことに基づいて変動入賞装置の次回の開放が留保される継続権を成立させるパチンコ機」及び「該閉塞部材を、前記変動入賞装置の開放後の継続入賞口への最初の入賞玉の入賞に基づいて前記第１の状態に駆動し、前記変動入賞装置の開放終了後に前記第２の状態に駆動する」点について記載されていない。
　
（２）甲第３号証に記載の発明
　また、同じく［甲第３号証］の記載事項によれば、該甲第３号証に記載の発明は、「特別入賞案内流路５６中に流入した打球は変動部材５７ａ、５７ａによって流下を阻止され、特別入賞案内流路５６中に貯留された状態となる。そして、Ｂモードの特別遊技態様のサイクルの終了時にソレノイド６０，６０が励磁されて変動部材５７ａ、５７ａが第１図に実線で示す如く相互に離れる方向に移動することによって、特別入賞案内流路５６の下端開口部が開放される。」ものであり、特別入賞案内流路５６中に流入した打球が第１の特別入賞口Ａ又は第２の特別入賞口Ｂへ入賞する前に、該打球は変動部材５７ａ、５７ａによって流下を阻止され、入賞が阻まれてしまうのであるから、変動入賞装置５の開放後の第１の特別入賞口Ａ又は第２の特別入賞口Ｂへの最初の入賞玉の入賞に基づいて変動部材５７ａ，５７ａを第１の特別入賞口Ａ又は第２の特別入賞口Ｂへの入賞を阻止する状態に駆動するようになっているものではない。
　したがって、甲第３号証には本件発明の「該閉塞部材を、前記変動入賞装置の開放後の継続入賞口への最初の入賞玉の入賞に基づいて前記第１の状態に駆動し、」の点が記載されていない。
　
（３）対比・判断
　そうしてみると、上記甲第２号証及び甲第３号証のいずれにも、本件発明の「該閉塞部材を、前記変動入賞装置の開放後の継続入賞口への最初の入賞玉の入賞に基づいて前記第１の状態に駆動し、」の点が記載されてなく、また示唆されてもいない。
　そして、甲第５号証ないし甲第８号証に、本件発明の「大当り遊技状態となったときに、内部に継続入賞口と非継続入賞口とが設けられた変動入賞装置を所定の態様で開放し、その開放中に前記継続入賞口に入賞玉が入賞したことに基づいて変動入賞装置の次回の開放が留保される継続権を成立させるパチンコ機」の構成が記載されていて、本件特許出願前の周知技術であったとしても、前述のとおり、上記甲第２号証及び甲第３号証には、本件発明の構成の一部が個々に記載されているだけであるから、このような甲第２号証及び甲第３号証にそれぞれ記載の発明を組み合わせた上に、さらに前記周知技術を付加したとしても、もとより本件発明の構成を得ることができない。そして、本件発明は、請求項１に記載の前記構成により特許明細書に記載の効果を奏するものと認められる。
　したがって、本件発明は上記甲第２号証ないし甲第３号証に記載された発明及び周知技術に基づいて当業者が容易に発明をすることができたものである、とすることができない。
　
５．むすび
　以上のとおりであるから、特許異議の申立ての理由によっては本件発明についての特許を取り消すことはできない。
　また、他に本件発明についての特許を取り消すべき理由を発見しない。
　したがって、本件発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年１月１６日（２００１．１．１６）